(57)【要約】【課題】撮像素子に写し込まれた表示情報の表示装置への転送が遅れても直ちにこれを回復して表示落ちや表示の乱れ、或いは表示遅れなどが生じることがない撮像装置を提供する。【解決手段】ＣＣＤ２から読み出された画像情報は、ＤＭＡ転送部１０を介して内部メモリ１２に記憶され、その後、輝度色差信号の作成、解像度の変換がなされ、表示用のデータが表示制御部１５に転送され、表示装置１６に表示される。表示用のデータの表示制御部１５への転送が正常化或いは遅れているかを解像度変換の完了信号と表示用の垂直同期信号によって判断し、遅れている場合にはＣＣＤの読み出し周期を短くし、早く表示用データを作成して表示制御部１５に転送するようにする。【選択図】図１
2006262035.tif 000002
【特許請求の範囲】
【請求項１】
被写体像が写し込まれる撮像素子と、この撮像素子に写し込まれた前記被写体像の画像情報を所定周期で読み出す読み出し制御手段と、この読み出し制御手段によって読み出された画像情報を表示用の画像情報に変換すると共に変換が完了した際に変換完了信号を出力する画像情報変換手段と、この画像情報変換手段によって変換された表示用の画像情報を垂直同期信号に同期させて表示する表示手段と、前記画像情報変換手段から出力された変換完了信号と前記垂直同期信号とに基づいて前記読み出し制御手段による前記画像情報の読み出し周期を変更する周期変更手段とを備えたことを特徴とする撮像装置。
【請求項２】
前記周期変更手段は、前記変換完了信号の出力が前記垂直同期信号の出力後で且つ予め定められた範囲内に出力されたか否かを検出する検出手段を備え、予め定められた範囲内に出力された場合には前記読み出し制御手段による前記画像情報の読み出し周期を短くすることを特徴とする請求項１に記載の撮像装置。
【請求項３】
前記周期変更手段は、前記垂直同期信号が出力されてから前記変換完了信号が出力される迄の経過時間或いは前記変換完了信号が出力されてから前記垂直同期信号が出力されるまでの経過時間を計測する時間計測手段を備え、この時間計測手段によって計測された経過時間に基づいて前記読み出し制御手段による前記画像情報の読み出し周期を変更することを特徴とする請求項１又は２に記載の撮像装置。
【請求項４】
前記画像情報変換手段は、前記読み出し制御手段によって読み出された１フレーム分の画像情報を表示用の画像情報に変換した際に前記変換完了信号を出力することを特徴とする請求項１乃至３の何れかに記載の撮像装置。
【請求項５】
更に、前記読み出し制御手段によって読み出された画像情報を予め定められた規格に従って圧縮して記憶する圧縮画像記憶手段を備えていることを特徴とする請求項１乃至４の何れかに記載の撮像装置。
【請求項６】
被写体像が写し込まれる撮像素子と、この撮像素子に写し込まれた前記被写体像の画像情報を所定周期で読み出す読み出し制御手段と、ＤＭＡ転送手段と、前記読み出し制御手段によって読み出された画像情報が前記ＤＭＡ転送手段を介して供給されこの供給された画像情報を記憶する画像情報記憶手段と、この画像情報記憶手段に記憶された画像情報が前記ＤＭＡ転送手段を介して供給されこの供給された画像情報を表示用の縮小画像情報に変換すると共に変換が完了した際に変換完了信号を出力する画像情報変換手段と、この画像情報変換手段によって変換された縮小画像情報が前記ＤＭＡ転送手段を介して供給されこの供給された縮小画像情報を記憶する縮小画像情報記憶手段と、この縮小画像情報記憶手段に記憶された縮小画像情報が前記ＤＭＡ転送手段を介して供給されこの供給された縮小画像情報を表示垂直同期信号に同期させて表示する表示手段と、前記画像情報変換手段から出力された変換完了信号と前記垂直同期信号とに基づいて前記読み出し制御手段による前記画像情報の読み出し周期を変更する周期変更手段とを備えたことを特徴とする撮像装置。
【請求項７】
前記周期変更手段は、前記変換完了信号の出力が前記垂直同期信号の出力後で且つ予め定められた範囲内に出力されたか否かを検出する検出手段を備え、予め定められた範囲内に出力された場合には前記読み出し制御手段による前記画像情報の読み出し周期を短くすることを特徴とする請求項６に記載の撮像装置。
【請求項８】
前記周期変更手段は、前記垂直同期信号が出力されてから前記変換完了信号が出力される迄の経過時間或いは前記変換完了信号が出力されてから前記垂直同期信号が出力されるまでの経過時間を計測する時間計測手段を備え、この時間計測手段によって計測された経過時間に基づいて前記読み出し制御手段による前記画像情報の読み出し周期を変更することを特徴とする請求項６又は７に記載の撮像装置。
【請求項９】
前記画像情報変換手段は、前記読み出し制御手段によって読み出された１フレーム分の画像情報を表示用の画像情報に変換した際に前記変換完了信号を出力することを特徴とする請求項６乃至８の何れかに記載の撮像装置。
【請求項１０】
更に、前記読み出し制御手段によって読み出された画像情報を予め定められた規格に従って圧縮して記憶する圧縮画像記憶手段を備えていることを特徴とする請求項６乃至９の何れかに記載の撮像装置。
【発明の詳細な説明】
【技術分野】
【０００１】
この発明は、撮像素子に写し込まれた画像情報の表示品質を向上させた撮像装置に関する。
【背景技術】
【０００２】
従来、撮像素子に写し込まれた被写体像を表示装置に表示させるデジタルカメラなどの撮像装置にあっては、表示装置に送られる画像情報のフレームレートと表示装置における表示フレームレートが一致していることが望ましく、表示装置に送られる画像情報のフレームレートが表示装置における表示フレームレートより低い場合には、表示の乱れ或いは表示の遅れが生じることが知られている（特許文献１参照）。一方、撮像装置にあっては、撮像素子に写し込まれた被写体の画像情報を、ＤＭＡ（ダイレクト・メモリ・アクセス）転送によって表示装置に送ることにより制御部（ＣＰＵ）の負担を軽くし、転送効率を上げるようにすることが行われている（特許文献２及び特許文献３参照）。
【特許文献１】特開２００４−３２５８２１号
【特許文献２】特開２００２−３４４８７０号
【特許文献３】特開２００４−０３２２７８号
【発明の開示】
【発明が解決しようとする課題】
【０００３】
しかしながら、ＤＭＡ転送は、共通のデータバスを用いて多数の情報をチャンネル切換によって転送するものであり、そのトラフィックが大きくなると画像情報を表示装置に送るのに時間がかかり、その為、送られる画像情報のフレームレートが表示装置における表示フレームレートより低くなり、特許文献１に記載されているような表示の乱れ或いは表示の遅れが生じる可能性が高くなる欠点があった。
【０００４】
図６は、ＣＣＤなどの撮像素子に写し込まれた画像情報が、表示フレームレートで表示装置に送られて表示される理想的なタイミングチャートとを示しており、図６（１）は垂直同期パルスＤ０、Ｄ１、Ｄ２・・・を有する表示用の垂直同期信号である。図６（２）はＣＣＤから画像情報の読み出しを開始させるＣＣＤ垂直同期信号で、ＣＣＤは垂直同期信号が供給されると図６（３）に示すように写し込まれている被写体の画像Ａ０を読み出す。この読み出しは読み出しを開始してから所定時間後の時間Ｌ０で１フレーム分の読み出しを終了し、読み出された画像Ａ０は一旦メモリに記憶され、図６（４）に示す期間で画像処理や画像変換が行われ最終的に表示用の縮小画像に変換されてメモリに記憶される。
【０００５】
この図６（４）の画像処理や画像変換は、例えば画像Ａ０をＤＭＡ転送によって色差、輝度信号の変換回路に送って変換したり、同じくＤＭＡ転送によって解像度変換回路に送られて表示用の縮小画像に変換されるものである。そして、縮小信号に変換された画像Ａ０は、垂直同期信号Ｄ１の表示タイミング（表示フレーム）で表示されるように表示装置に送られるものである。
【０００６】
画像Ａ０が表示されている間、ＣＣＤに写し込まれた次の画像Ａ１はＣＣＤから読み出され且つ縮小画像に変換されてメモリに記憶され、記憶された画像Ａ１は、次の垂直同期信号Ｄ２のタイミングで表示され、以下、同様にして、ＣＣＤから読み出された画像情報が次に来る垂直同期信号によって表示されることにより、フレーム落ちのない、また、時間遅れのない表示がなされるものである。
【０００７】
図７は、フレーム落ちや時間遅れを生じる場合のタイムチャートを示しており、図７（３）で画像Ａ０の読み出しがなされた後、図７（４）の縮小画像の生成完了Ｌ０までに時間がかかった例を示している。即ち、ＣＣＤの画像を表示する以外に、他の処理が加わりＤＭＡ転送量が増大してトラフィックが大きくなると、画像変換や転送に時間がかかって、縮小画像の生成完了Ｌ０が垂直同期信号Ｄ１の発生以降になってしまった場合である。
【０００８】
このような場合では、垂直同期信号Ｄ１の表示タイミングでは表示データが送られてこないので何も表示されない無表示（表示落ち）となってしまう。また、次の画像Ａ１の縮小画像もその生成完了が次の垂直同期信号Ｄ２に間に合わなかった場合には、垂直同期信号Ｄ２の表示タイミングにおいても同じく無表示なってしまい、表示無しの状態が続き表示の乱れが生じる。そこで、例えばＣＣＤから読み出され縮小された画像をメモリに順次記憶させておき、これを順次表示させるようにすれば、例えば垂直同期信号Ｄ２の表示タイミングでは画像Ａ０が表示されることとなるが、この場合には、このような状態が連続して発生したり頻繁に起きたりすると、その都度表示遅れが生じるので、被写体の実際の動きに対して表示装置に表示されている被写体の動きが遅れてしまうという欠点があった。
【０００９】
本発明は、上記の事情に鑑みてなされたもので、撮像素子に写し込まれた表示情報の表示装置への転送が遅れても直ちにこれを回復して表示落ちや表示の乱れ、或いは表示遅れなどが生じることがない撮像装置を提供することを目的とする。
【課題を解決するための手段】
【００１０】
上記課題を解決するために、本発明の請求項１の撮像装置は、被写体像が写し込まれる撮像素子と、この撮像素子に写し込まれた前記被写体像の画像情報を所定周期で読み出す読み出し制御手段と、この読み出し制御手段によって読み出された画像情報を表示用の画像情報に変換すると共に変換が完了した際に変換完了信号を出力する画像情報変換手段と、この画像情報変換手段によって変換された表示用の画像情報を垂直同期信号に同期させて表示する表示手段と、前記画像情報変換手段から出力された変換完了信号と前記垂直同期信号とに基づいて前記読み出し制御手段による前記画像情報の読み出し周期を変更する周期変更手段とを備えたことを特徴とする。
【００１１】
また請求項２は、前記周期変更手段が、前記変換完了信号の出力が前記垂直同期信号の出力後で且つ予め定められた範囲内に出力されたか否かを検出する検出手段を備え、予め定められた範囲内に出力された場合には前記読み出し制御手段による前記画像情報の読み出し周期を短くすることを特徴とする。更に請求項３は、前記周期変更手段が、前記垂直同期信号が出力されてから前記変換完了信号が出力される迄の経過時間或いは前記変換完了信号が出力されてから前記垂直同期信号が出力されるまでの経過時間を計測する時間計測手段を備え、この時間計測手段によって計測された経過時間に基づいて前記読み出し制御手段による前記画像情報の読み出し周期を変更することを特徴とする。
【００１２】
また、請求項４は、前記画像情報変換手段が、前記読み出し制御手段によって読み出された１フレーム分の画像情報を表示用の画像情報に変換した際に前記変換完了信号を出力することを特徴とする。更に請求項５は、更に、前記読み出し制御手段によって読み出された画像情報を予め定められた規格に従って圧縮して記憶する圧縮画像記憶手段を備えていることを特徴とする。
【００１３】
また、請求項６の本発明による撮像装置は、被写体像が写し込まれる撮像素子と、この撮像素子に写し込まれた前記被写体像の画像情報を所定周期で読み出す読み出し制御手段と、ＤＭＡ転送手段と、前記読み出し制御手段によって読み出された画像情報が前記ＤＭＡ転送手段を介して供給されこの供給された画像情報を記憶する画像情報記憶手段と、この画像情報記憶手段に記憶された画像情報が前記ＤＭＡ転送手段を介して供給されこの供給された画像情報を表示用の縮小画像情報に変換すると共に変換が完了した際に変換完了信号を出力する画像情報変換手段と、この画像情報変換手段によって変換された縮小画像情報が前記ＤＭＡ転送手段を介して供給されこの供給された縮小画像情報を記憶する縮小画像情報記憶手段と、この縮小画像情報記憶手段に記憶された縮小画像情報が前記ＤＭＡ転送手段を介して供給されこの供給された縮小画像情報を表示垂直同期信号に同期させて表示する表示手段と、前記画像情報変換手段から出力された変換完了信号と前記垂直同期信号とに基づいて前記読み出し制御手段による前記画像情報の読み出し周期を変更する周期変更手段とを備えたことを特徴とする。
【００１４】
また請求項７は、前記周期変更手段が、前記変換完了信号の出力が前記垂直同期信号の出力後で且つ予め定められた範囲内に出力されたか否かを検出する検出手段を備え、予め定められた範囲内に出力された場合には前記読み出し制御手段による前記画像情報の読み出し周期を短くすることを特徴とする。請求項８は、前記周期変更手段が、前記垂直同期信号が出力されてから前記変換完了信号が出力される迄の経過時間或いは前記変換完了信号が出力されてから前記垂直同期信号が出力されるまでの経過時間を計測する時間計測手段を備え、この時間計測手段によって計測された経過時間に基づいて前記読み出し制御手段による前記画像情報の読み出し周期を変更することを特徴とする。
【００１５】
請求項９は、前記画像情報変換手段が、前記読み出し制御手段によって読み出された１フレーム分の画像情報を表示用の画像情報に変換した際に前記変換完了信号を出力することを特徴とする。請求項１０は、更に、前記読み出し制御手段によって読み出された画像情報を予め定められた規格に従って圧縮して記憶する圧縮画像記憶手段を備えていることを特徴とする。
【発明の効果】
【００１６】
本発明によれば、撮像素子に写し込まれた表示情報の表示装置への転送が遅れても直ちにこれを回復して表示落ちや表示の乱れ、或いは表示遅れなどが生じることがない撮像装置を提供できるものであり、特に、ＤＭＡ転送によって各種情報を転送するような場合にあっては、表示装置への転送の遅れが頻繁に起きるものであり、本発明は、このような撮像装置に適用すれば一層の効果が得られるものである。
【発明を実施するための最良の形態】
【００１７】
図１は、本発明による撮像装置、例えば静止画及び動画を記憶できるデジタルカメラの回路構成図である。図において、制御部１は、図示していないＣＰＵ、ＲＯＭ、ＲＡＭ等から構成されている。上記ＲＯＭにはデジタルカメラ全体の動作を制御するための処理プログラムやカメラの機能や撮影条件などの表示データが記憶されており、制御部１は後述する各部に上記処理プログラムに従った制御信号や表示データを出力する。
【００１８】
撮像素子であるＣＣＤ２の前方には、レンズや絞りなどの光学系３が配置されており、この光学系３は制御部１からの信号で駆動制御される光学系制御部４によって移動され絞り量の設定や焦点合わせ、ズーム動作などがなされる。前記光学系３を介してＣＣＤ２に写し込まれた外部の被写体像のアナログ信号は、ＣＣＤ駆動ドライバ５から供給される読み出しパルスによって読み出され、ＣＤＤ（雑音除去）／ＡＧＣ（自動利得）回路６に送られる。ＣＤＤ／ＡＧＣ回路６は、制御部１からの制御信号によって動作しアナログ信号の相関二重サンプリングが行われて雑音が除去されると共にゲイン調整が行われる。
【００１９】
ゲイン調整された信号はＡ／Ｄ（アナログーデジタル）変換回路７でデジタル画像信号に変換され順次撮像制御部８に送られる。この撮像制御部８は、後述する表示制御部１５からＣＣＤ２の読み出す為の周期データを受け、この周期データに基づいた周期でＣＣＤ駆動ドライバ５に駆動開始信号（以下、ＣＣＤ垂直同期信号と称呼する。）及び駆動停止信号（以下、駆動停止信号と称呼する。）を供給するものであり、これについては詳細を後述する。ＣＣＤ駆動ドライバ５は、ＣＣＤ垂直同期信号を受けてＣＣＤ２に読み出しパルスの供給を開始し駆動停止信号を受けて読み出しパルスの供給を停止する。尚、ＣＣＤ垂直同期信号の出力から駆動停止信号迄の期間は、ＣＣＤ２から１フレーム分の信号を読み出す期間である。
【００２０】
また、撮像制御部８は、前記Ａ／Ｄ（アナログーデジタル）変換回路７からのデジタル画像信号を画像処理回路９に順次供給する。画像処理回路９では送られてきたデジタル画像信号にホワイトバランス補正などの画像処理を行った後、ＤＭＡ転送用のバスライン（データライン、アドレス制御ライン）を備えたＤＭＡ転送部１０を介して画像処理された画像信号をメモリ制御部１１に送り、内部メモリ１２に記憶させる。この内部メモリ１２は、ＤＲＡＭ（Direct Random Access Memory）、ＳＤＲＡＭ（Synchronous DRAM）等の大容量の記憶素子などから構成されている。
【００２１】
また、内部メモリ１２には、ＤＭＡ転送部１０を介してＣＣＤ２から送られてくる画像信号を順次記憶し１フレームの画像信号を格納する格納領域が設けられている。また、内部メモリ１２には、後述する画像データから輝度（Ｙ）と色差（ＵＶ）の信号に生成されたＹＵＶ画像データ、このＹＵＶ画像データから解像度を縮小変換した表示用のデータ及びＹＵＶ画像データを圧縮若しくは伸張した圧縮ＹＵＶ画像データをフレーム単位でそれぞれ記憶する格納領域が設けられている。また、制御部１のＲＯＭに予め記憶されている表示データ等を格納する格納領域も備えられている。
【００２２】
上記メモリ制御部１１は、ＤＭＡ転送部１０を介してＤＭＡ転送によって送られてくる画像情報を各格納領域に記憶し、また、格納領域に記憶された画像情報を読み出してＤＭＡ転送部１０を介して転送するものである。
【００２３】
内部メモリ１２に記憶されたＣＣＤ２からの画像データは、メモリ制御部１１を介して直ちに読み出され、ＤＭＡ転送部１０を介してＹＵＶ変換回路１３に送られる。ＹＵＶ変換回路１３は、画像データから輝度信号（Ｙ）と色差信号（ＵＶ）からなるＹＵＶ画像データを生成する。生成されたＹＵＶ画像データは、ＤＭＡ転送部１０を介してメモリ制御部１１に送出され、内部メモリ１２に記憶される。
【００２４】
内部メモリ１２に書き込まれた輝度（Ｙ）、色差（ＵＶ）信号のＹＵＶ画像情報は、メモリ制御部１１を介して内部メモリ１２から読み出され、ＤＭＡ転送部１０を介して解像度変換回路１４に送られる。この解像度変換回路１４では、送られて来たＹＵＶ画像情報の解像度を縮小して表示用のデータに変換し、１フレーム分の変換が完了すると表示制御部１５に変換完了信号を出力する。この解像度変換回路１４で変換された表示用のデータはＤＭＡ制御部１０、メモリ制御部１１を介して内部メモリ１２に送られ記憶される。内部メモリ１２に記憶された表示用のデータは、後述する表示タイミングで表示制御部１５に送られ、カラーのマトリクス液晶装置からなる表示装置１６に表示される。
【００２５】
撮影された静止画或いは動画は、このデジタルカメラに着脱可能なフラッシュメモリなどから構成される大容量のメモリである外部メモリ１７に記憶されるもので、即ち、内部メモリ１２に記憶されたＹＵＶ画像情報が、メモリ制御部１１、ＤＭＡ転送部１０を介して圧縮・伸張回路１９に送られ、例えば、静止画であればＪＰＥＧ規格形式の画像情報、動画であればモーションＪＰＥＧ或いはＭＰＥＧ規格形式の画像情報に圧縮符号化された後、ＤＭＡ転送部１０を介して媒体制御部１８に送られ、外部メモリ１７に記憶される。
【００２６】
センサ部２０は、被写体までの距離、被写体の色温度或いは被写体の明るさなどを検出するセンサであり、その検出値は制御部１に送られ、制御部１ではその検出値に応じて光学系制御部４に制御信号を出力し、また、画像処理部９にホワイトバランス補正値などを出力する。時計回路部２１は、現在の年、日付及び時分などの現在時刻情報を計数するもので、時計回路部２１から出力される現在時刻情報は、制御部１を介してＤＭＡ制御部２２に送られ、更にＤＭＡ転送部１０を介して内部メモリ１２に記憶された後、更に、ＤＭＡ転送部１０を介して表示制御部１５に送られ表示装置１６に表示される。ＤＭＡ制御部２２は、上記時刻情報や制御部１のＲＯＭに記憶されている表示データを送出する以外に、ＤＭＡ転送部１０でのＤＭＡ転送を制御するコントローラを備えており、ＤＭＡ転送部１０での転送チャンネルの切換等の制御を行うものである。
【００２７】
釦入力部２３は、詳細は図示していないが、デジタルカメラの電源を投入する電源釦や、撮影モード、再生モード、消去モードなどのモードを切換えるモード切替釦、静止画を撮像して外部メモリ１７に記憶させるシャッター釦、動画を撮影して外部メモリ１７に記憶させる撮影開始及び停止釦、記憶された動画を再生する再生開始及び停止釦、撮影時の撮影条件（シャッタースピード、露出量、画質、記憶画像の大きさ等）を事前に設定する各種設定釦等を備えている。
【００２８】
電源部２４は、釦電池やこの釦電池の出力電圧から各種の電圧を発生させる電源回路から構成され、電源オン時に、各部に必要とされる電圧を供給するものである。尚、電源オフ状態であっても、この電源部２４からは、制御部１や内部メモリ１２等には必要最小限の電源が供給され、内部に記憶されているデータを保持したり電源釦の投入を受け付けたり出来るようになっている。
【００２９】
図２は、図１の表示制御部１５の詳細な構成を示している。表示制御部１５のＤＭＡ制御部（ＤＭＡインターフェース）３０は、ＤＭＡ転送部１０から送られてくる表示用のデータを受け取り、受け取った表示用のデータを表示駆動回路３１に送って表示装置１６で表示させるものである。上記ＤＭＡ制御部３０は、図示していないが所定バイトのデータを記憶するバッファ回路を少なくとも２つ備えており、表示用のデータを交互に２つのバッファに記憶させ、一方のバッファに記憶されたデータを表示駆動回路３１に送っている間に他方のバッファに、続く所定バイトの表示用のデータを記憶させ、この他方のバッファに記憶された表示用のデータを表示駆動回路３１に送っている間に一方のバッファに、続く所定バイトの表示用のデータを記憶させるといった動作を交互に行って１フレーム分の表示用のデータを切れ目無く表示駆動回路３１に送って表示させるものである。
【００３０】
また、このＤＭＡ制御部３０における表示用のデータの受け取りは、図１の解像度変換回路１４から１フレーム分の変換が完了したという変換完了信号を受けて受け取りを開始し、表示用のフレーム信号（表示用垂直同期信号）を受けて表示駆動回路３１へのデータの供給を開始するものであり、その為に、上記変換完了信号及びデコーダ３４からの表示用垂直同期信号がこのＤＭＡ制御部３０に供給されている。
【００３１】
水平カウンタ３２は、所定周期のクロックパルスφ１を計数して表示用の水平同期信号を出力し、この水平同期信号を計数する垂直カウンタは表示用の垂直同期信号を得るものである。そして、水平カウンタ３２及び垂直カウンタ３３の計数値はデコーダ３４に送られ、表示タイミング信号が生成されて表示駆動回路３１に供給されるものである。
【００３２】
表示タイミング信号には、１フレームの表示サイクルを示す垂直同期信号が含まれており、この垂直同期信号は前述した如くＤＭＡ制御部３０に供給されると共に、ＣＣＤ周期制御部３５にも送られる。このＣＣＤ周期制御部３５には、上記垂直同期信号以外に図１の解像度変換回路１４からの変換完了信号及びクロックパルスφ２をカウントする計測カウンタ３６のカウント値Ｔが供給されており、垂直同期信号及び変換完了信号が入力された時のカウント値Ｔの値に応じて図１の撮像制御部８にＣＣＤ２の読み出し周期を設定する為の周期データを出力すると共に、上記計測カウンタ３６にクリア（リセット）信号を出力するものである。
【００３３】
図３は、図１の上記撮像制御部８の一部の回路構成を示しており、ＣＣＤ駆動ドライバ５に駆動開始信号（ＣＣＤ垂直同期信号）及び駆動停止信号を出力する回路である。図３において、表示制御部１５からの周期データはプリセット回路（レジスタ）４０に設定記憶される。このプリセット回路４０に記憶された周期データは周期レジスタ４１に供給されており、後述する一致検出回路４２から一致検出信号が出力されるとこの一致検出信号が周期レジスタ４１に読み込みパルスとして供給され、プリセット回路４０の周期データが周期レジスタ４１に読み込まれるものである。
【００３４】
一致検出回路４２には、上記周期レジスタ４１の周期データと、クロックパルスφ２を計数する計測カウンタ４３のカウント値が供給されており、計測カウンタ４３のカウント値が周期データと一致すると一致信号を出力し、この一致信号は前述した如く周期レジスタ４１に送られると共に、計測カウンタ４３にクリア信号として、また、ＣＣＤ駆動ドライバ５に駆動開始信号（ＣＣＤ垂直同期信号）として供給される。
【００３５】
また、計測カウンタ４３が予め定められた値となった時、計測カウンタ４３からはＣＣＤ駆動ドライバ５に駆動停止信号を供給するように構成されている。即ち、ＣＣＤ２の画素数は予め定められており、駆動開始信号が出力されて１フレーム分の画素データを読み出し終える迄の時間は決まっているので、駆動開始信号でリセットされてクロックパルスφ２のカウントを開始する計測カウンタ４３で、その時間を計測し１フレーム分の画素データを読み出し終える時間となった時に駆動停止信号を出力するものである。
【００３６】
次に、上記の如く構成されたデジタルカメラにおいて、ＤＭＡ転送のトラフィックの増大などによって、表示データの転送と表示タイミングとが合わなくなった際にこれを直ちに正常なものとする動作について、表示制御部１５のＣＣＤ周期制御部３５によって行われる図４の動作フローチャート及び図５のタイムチャートを用いて説明する。
【００３７】
図５の（１）は、デコーダ３４から出力される表示用の垂直同期信号であり、図５の（２）は、図３の一致検出回路４２から出力されるＣＣＤ垂直同期信号である。尚、説明を容易にするために、表示用垂直同期信号の周期を「１００」と仮定し、また、ＣＣＤ垂直駆動信号のパルスＡ０は、この時点では周期が表示用垂直同期信号と同じ「１００」、ＣＣＤ垂直駆動信号によりＣＣＤ２の読み出しが開始されてから１フレーム分の画像情報が表示用の縮小された表示データに変換されるまでの時間（例えばＡ０からＸ０迄の時間）は常に一定で「７５」とする。更にＣＣＤ垂直駆動信号のパルスＡ０は、それ以前のＤＭＡ転送の遅れなどによって、表示用垂直同期信号Ｄ０が発生してから「３０」経過した時点で発生し、その為、ＣＣＤ２から読み出された信号が最終的に縮小された表示データに変換された時点Ｘ０では、既に次の垂直同期信号Ｄ１が発生されてしまっており、その為、垂直同期信号Ｄ１が発生されたフレームでは無表示で、その次の垂直同期信号Ｄ２で表示される状態となっている、と仮定して説明する。
【００３８】
図４のステップＳ１では、デコーダ３４から表示用の垂直同期信号が供給されたか否かが判断される。垂直同期信号が供給されたことが判断されると（Ｙ）ステップＳ２に進み、計測カウンタ３６のカウント値Ｔが、「２５」より大きいか否かが判断される。計測カウンタ３６は、後述する如く垂直同期信号もしくは１フレームの画像データの表示用データへの変換が完了したことを示す変換完了信号によって「０」にクリアされて計測を再開するように構成されており、変換完了信号によってクリアされた後、「２５」以内に垂直同期信号が出力されたのであれば、変換された表示データをこの垂直同期信号のタイミングで表示させることが可能なので「２５」以内であれば（ステップＳ２でＮ）そのまま処理を終えるが、「２５」より大きかった場合には表示用の垂直同期信号とＣＣＤ垂直同期信号との同期がとれていないものとしてステップＳ３に進み計測カウンタ３６のカウント値Ｔをクリアする（図５のＹＯ）。
【００３９】
ステップＳ１で垂直同期信号が供給されていない場合（Ｎ）には、ステップＳ４に進み変換完了信号が供給されたか否かが判断される。変換完了信号が供給されたことが判断された場合（Ｙ）には、ステップＳ５に進み、計測カウンタ３６のカウント値Ｔが「２５」より小さいか否かが判断される。
【００４０】
計測カウンタ３６のカウント値Ｔが「２５」より小さいということは、表示用の垂直同期信号（Ｄ１）が出力された後、「２５」以内に変換完了信号が出力された（図５のＸ０、カウント値が「５」の時に出力されている。）ということであり、垂直同期信号とＣＣＤ垂直同期信号との同期がとれていないのでステップＤ６に進み、ＣＣＤ垂直同期信号の周期データを、今回の周期（「１００」）からー８した周期「９２」を算出し、この周期データ「９２」を撮像制御部８のプリセット回路４０（図３）に送ってプリセットする。
【００４１】
図３において、この時点では周期レジスタ４１の値は「１００」であり、一致検出回路４２は、計測カウンタ４３の値が表示用垂直同期信号の周期「１００」と同じ値になった際に一致信号（図５のＡ１）を出力するが、この一致信号の出力によってプリセット回路４０にプリセットされている値「９２」が周期レジスタ４１にプリセットされるので、次の周期は「９２」となる（図５のＡ２）。
【００４２】
上記一致信号Ａ１が出力されると、ＣＣＤ２から１フレーム分の画像の読み出しが開始され転送及び表示用データへの変換が行われるが、この課程においても変換完了信号の出力（Ｘ１）は、次の表示用垂直信号Ｄ２の出力後となるので、表示用垂直信号Ｄ２の出力によって計測カウンタ３６がクリアされ、計測カウンタ３６の値が「５」の時に変換完了信号の出力（Ｘ１）がなされる。これによって、ステップＳ６では、今回の周期（「９２」）からー８した周期「８４」を算出し、この周期データ「８４」を撮像制御部８のプリセット回路４０（図３）に送ってプリセットする。
【００４３】
そして、次のＣＣＤ垂直直同期信号Ａ２が出力され、読み出された画像の表示用データの変換がなされて変換完了信号（Ｘ２）が出力されると、ＣＣＤ垂直直同期信号Ａ１からＡ２迄の周期が「９２」に設定されている為、変換完了信号Ｘ２の出力は、次の表示用垂直同期信号Ｄ３の出力より「３」だけ前になる。即ち、計測カウンタ３６のカウント値Ｔが「９７」の時に出力されることとなる。それ故、変換された表示用のデータは次の表示用垂直同期信号Ｄ３によって表示されることとなる。
【００４４】
また、完了信号変換完了信号Ｘ２が出力された時は、図４のステップＳ５では、「２５」より小さくないことが検出されるのでステップＳ７に進む。ステップＳ７では、表示用垂直同期信号と同じ周期の周期データ「１００」をプリセット回路４０に送り、次のステップＳ８で計測カウンタ３６のカウント値をクリアして処理を終える。
【００４５】
変換完了信号Ｘ２が出力された後のＣＣＤ垂直同期信号Ａ３によって読み出された画像は、ＣＣＤ垂直同期信号Ａ２からＡ３迄の周期が「８４」となっているので表示用垂直同期信号より更に「１６」だけ早く出力される。即ち、変換完了信号Ｘ２は垂直同期信号Ｄ３より「３」だけ早く出力されたが、変換完了信号Ｘ３は、垂直同期信号Ｄ４より１９だけ早く出力され垂直同期信号Ｄ４によって表示される。
【００４６】
そして、これ以降は、変換完了信号が出力されるとステップＳ７で周期データ「１００」が出力されるため、ＣＣＤ垂直同期信号は表示用の垂直同期信号と同じ周期「１００」となり、ＣＣＤ２から読み出された画像は表示用垂直同期信号の「１９」手前で変換が完了し、次の垂直同期信号で表示されという動作を繰り返し、表示落ちや表示遅れのない表示がなされるものである。
【００４７】
このように、デジタルカメラの動作状態において、ＤＭＡ転送のトラフィックが大きくなって表示データへの変換が遅れて表示すべきタイミング以降に変換が完了した場合でも直ちに正常な状態に戻すことが出来るのものである。
【００４８】
尚、上記の実施の形態では、撮像制御部８からのデジタル画像信号を画像処理回路９で処理し、一旦内部メモリ１１に記憶してからＹＵＶ変換回路１３でＹＵＶ画像データに変換するようにしたが、画像処理回路９での処理の後にＹＵＶ変換回路１３を設け、ＹＵＶ画像データに変換してから内部メモリ１２に記憶させるようにしてもよい。
【００４９】
また、上記の実施の形態では、内部メモリ１２と外部メモリ１７の両方を備えた例について述べたが、外部メモリ１７だけを設け、この外部メモリに１７に内部メモリ１２で述べた記憶領域を持たせて上述したＤＭＡ転送を行わせてもよい。
【００５０】
更に、上記の実施の形態では、表示制御部１５においてＣＣＤ２の読み出し周期のデータを得るようにしたが、これは、撮像制御部８で行わせてもよいものである。即ち、撮像制御部８に変換完了信号と表示用の垂直同期信号とを供給して、内部にＣＣＤ周期制御部３５及び計測カウンタ３６を設ければよいものである。
【００５１】
更にまた、本発明はデジタルカメラに限定されず、携帯電話、ＰＤＡ（パーソナル・デジタル・アシスタンツ）、ＨＴ（ハンデイーターミナル）等であっても、撮像素子と表示装置とを備えている電子機器であればあらゆる電子機器に適用できるものである。
【図面の簡単な説明】
【００５２】
【図１】本発明によるデジタルカメラの回路ブロック図。
【図２】図１に示した表示制御部１５の詳細な回路構成図。
【図３】同じく撮像制御部８の一部の回路構成図。
【図４】図１の表示制御部１５における動作を示すフローチャート。
【図５】図１の各部の動作タイミングチャート
【図６】従来の正常な表示状態を示すタイミングチャート
【図７】従来の表示が異常状態になった際のタイミングチャート
【符号の説明】
【００５３】
１  制御部
２  撮像素子
８  撮像制御部
９  画像処理部
１０  ＤＭＡ転送部
１１  メモリ制御部
１２  内部メモリ
１４  解像度変換回路
１５  表示制御部
１６  表示装置
１９  圧縮伸張回路
【図１】
2006262035.tif 000003
【図２】
2006262035.tif 000004
【図３】
2006262035.tif 000005
【図４】
2006262035.tif 000006
【図５】
2006262035.tif 000007
【図６】
2006262035.tif 000008
【図７】
2006262035.tif 000009